(57)【要約】【課題】  基台から起立したスタンドに表示部を取付けた形態の表示装置であって、表記部に外力が作用した場合に該外力を緩和するように緩衝材を備えたスタンド付き表示装置の提供。【解決手段】  スタンド３の下端と基台２の間にはゴム板４を取付け、ゴム板４の上面は底面に対して傾斜し、そしてゴム板４に設けた脚部６を基台２の穴を貫通して基台底面側へ突出し、基台２を床面に設置した際には上記脚部６が床面に当って僅かに圧縮するようにしている。【選択図】    図２
0003130870.tif 000002
【実用新案登録請求の範囲】
【請求項１】
基台から起立したスタンドに表示部を取付けた形態の表示装置において、該スタンドの下端と基台の間には弾性部材からなる緩衝材を取付け、該緩衝材はその上面を底面に対して傾斜して形成すると共に、該緩衝材の底面には脚部を突出して一体的に形成し、そして基台に設けた穴を貫通して基台底面側へ脚部を突出し、基台を床面に設置した際には上記脚部が床面に当って僅かに圧縮するようにしたことを特徴とする緩衝材を備えたスタンド付き表示装置。
【請求項２】
上記スタンドは基台の底面側からネジを螺合して、該基台とネジ止め結合した請求項１記載の緩衝材を備えたスタンド付き表示装置。
【請求項３】
上記緩衝材としてゴム板を使用した請求項１、又は請求項２記載の緩衝材を備えたスタンド付き表示装置。
【考案の詳細な説明】
【技術分野】
【０００１】
本考案は表示装置の表示部を支えるスタンド下端に緩衝材を備えた表示装置に関するものである。
【背景技術】
【０００２】
薄型の液晶テレビやプラズマテレビではスタンドを有している場合が多い。これは、従来のブラウン管型式のテレビに比較して表示部が大きい割りに重量が小さい為に、スタンドを介して支持することが出来ることに起因する。勿論、他にも色々な理由はあるであろうが、テレビ全体の外観がスッキリする点も大きな理由である。
【０００３】
ところで、スタンドは基台から垂直に起立し、その上端に表示部が取付けられているが、表示部はスタンド上端部で固定される。従って、表示部に物が当って外力(特に衝撃力)が作用するならば、これを緩和することは出来ずして、該表示部の画面が損傷する場合もある。
【０００４】
特許第３６６５０６３号に係る「薄型標示装置及び表示部の抜脱方法」は、表示部とスタンドを容易に着脱できるように、表示部が備える挿脱部をスタンド支柱部の挿入穴に挿嵌した構造としている。そして、スタンド支柱部の挿入穴に緩衝材を設けることで、スタンドと連結部のガタ付きを防止している。又、緩衝材を設けることでスタンドと連結部の潤滑効果もあるが、該緩衝材がスタンド支柱部の挿入穴にあるため、その形状が複雑となり、他の型式の表示装置に使用することが出来ない。
【０００５】
特開２００２−３４１７８２号に係る「画像表示装置」は、折畳んで持ち運ぶことが出来、また、壁に掛けることも出来るように構成している。そこで、液晶モニター本体と支柱との連結部分及び台座と支柱との連結部分に、任意の角度で位置固定可能な角度調整機構を取付けている。そこで、液晶モニター本体と支柱を台座に対してほぼ平行に重なり合って折畳んで壁面に掛けることが出来る。
【特許文献１】特許第３６６５０６３号に係る「薄型標示装置及び表示部の抜脱方法」
【特許文献２】特開２００２−３４１７８２号に係る「画像表示装置」
【考案の開示】
【考案が解決しようとする課題】
【０００６】
このように、表示部を支えるスタンドの形態は色々知られているが、本考案は特に衝撃的な外力が表示部に作用した場合に、その衝撃力を緩和すると共に、表示部を適度な角度で傾斜させることが出来る緩衝材を備えたスタンド付き表示装置を提供する。
【課題を解決するための手段】
【０００７】
本考案の表示装置は基台からスタンドを起立し、このスタンド上端部に表示部を取付けて構成している。ここで、表示部の形態は液晶型式の表示部としたり、プラズマ型式の表示部とする場合の何れでもよい。そして、スタンドは１本ないし２本とし、その下端は基台に取着されているが、基台とスタンドの間にはゴムなどの緩衝材が介在している。
【０００８】
ここで、緩衝材の上面は下面と平行ではなく、傾斜面を形成している。従って、該緩衝材を介在して起立するスタンドは基台に対して垂直ではなく、僅かに傾斜して起立することが出来る。そして、緩衝材の下面には脚部を突出し、この脚部は基台に貫通して設けた穴に嵌ると共に基台下面から突出する。ところで、緩衝材を間に介在して基台にスタンドを連結する構造は限定しないが、スタンド下面と基台上面の間に緩衝材を介在した状態で基台底面側から挿通するネジによってスタンドが固定される。
【考案の効果】
【０００９】
本発明のスタンド付き表示装置は、基台からスタンドを起立してその上端に表示部を取付けた構造であるが、スタンドの下端である基台との間にはゴム板などからなる緩衝材が取付けられている。従って、表示部に衝撃的な外力が作用した際には該緩衝材が変形して吸収され、表示部の損傷が防止される。又、緩衝材はその上面を傾斜させることで、表示部の画面を観易い角度に傾けることが出来る。
【００１０】
そして、緩衝材の底には脚部が設けられており、該脚部は基台に設けた穴を貫通して底面から突出している為に、床面には脚部が接して設置した表示装置の基台は滑って位置ズレすることはない。従って、基台の底には別の滑り止め用の脚部を取付ける必要はなく、部品点数は削減され、取付け作業工数も少なくなる。
【実施例】
【００１１】
図１は本考案に係る表示装置を示す外観図である。同図の１は表示部、２は基台、３はスタンドを夫々表している。基台２から２本のスタンド３，３が起立し、該スタンド３，３の上端部には表示部１が取付けられている。ところで、スタンド３，３の下端には緩衝材であるゴム板４，４が取付けられ、該ゴム板４，４は圧縮変形することが出来、例えば表示部１に外力が作用した場合にはスタンド３，３は僅かに傾くことが出来る。すなわち、外力が衝撃的な力である場合には表示部１が損傷しないように保護される。
【００１２】
図２は表示装置の縦断面を表している。ここで、表示部１はスタンド３の上端に取付けられているが、具体的な取付け構造は限定しないことにする。そして、スタンド３の下端には上記ゴム板４が取付けられているが、該ゴム板４の上面は傾斜し、その結果、ゴム板４を介在して起立するスタンド３は後方側へ僅かに傾斜することが出来る。
【００１３】
図３はスタンド３と基台２との連結構造を示す断面であるが、基台２の底から挿通するネジ５がスタンド３に設けたネジ穴に螺合することで該スタンド３は基台２に固定される。従って、スタンド上端に取り付けた表示部１は安定して支持されるが、ゴム板４には２個の脚部６，６が設けられて基台２の底面に突出している。従って、基台２を床面に設置するならば、脚部６，６も床面に接して滑り止め効果が得られる。
【００１４】
ところで、脚部６，６はゴム板４と一体成形されて基台２に設けた穴を貫通して底面に突出している。同図に示す脚部６，６の形状は逆台形円錐であるが、基台２の穴を圧縮されて挿通し、底面から突出している。基台２が床面に置かれる際には該脚部６，６は僅かに圧縮変形して床面に接することが出来、基台２の横滑りが防止される。
【００１５】
図４は基台２の底から観た透視図であり、所定の距離を隔てた位置にゴム板４，４が配置され、１本のスタンド３は基台底から２本のネジ５，５にてネジ止めされている。基台２とスタンド下端との間にはゴム板４を介在した状態でネジ止めされ、基台２の底には２個の脚部６，６が突出している。
【００１６】
ところで、上記ゴム板４の上面は傾斜面となっているが、この傾斜角度を変えたゴム板を用いることで表示部１の傾きを自由に変えることが出来る。又、ゴム板４の前後方向を逆にすることで、スタンド３及び表示部１を正面側へ傾斜させることも出来る。これは、表示装置が設置される部屋の大きさに応じてゴム板４の上面傾斜角を調整し、又は向きを逆にすることが出来る。
【図面の簡単な説明】
【００１７】
【図１】本考案に係るスタンド付き表示装置の外観図。
【図２】本考案の表示装置の縦断面図。
【図３】基台とスタンドの連結構造。
【図４】基台底からの透視図。
【符号の説明】
【００１８】
１  表示部
２  基台
３  スタンド
４  ゴム板
５  ネジ
６  脚部
【図１】
0003130870.tif 000003
【図２】
0003130870.tif 000004
【図３】
0003130870.tif 000005
【図４】
0003130870.tif 000006